(57)【特許請求の範囲】
【請求項１】
絶縁性基板と、光学素子層と、前記光学素子層を駆動する第１電極及び第２電極と、駆動回路と、を含む表示装置であって、
前記駆動回路と電気的に接続された第１パッドと、
一端が前記第１パッドに電気的に接続された電圧供給線と、
前記電圧供給線及び前記第２電極に電気的に接続された共通配線と、
前記電圧供給線と前記共通配線との間に形成されたトランジスタと、
前記電圧供給線の一部であり、分岐部から延在し、前記第１パッドに電気的に接続された分岐配線と、
を備え、
前記第２電極は、画像を表示する表示電極、及び、物体の近接又は接触を検出する検出電極としての機能を有しており、
平面視において、前記分岐部は、前記第１パッドよりも前記絶縁性基板の中央側に位置する、表示装置。
【請求項２】
請求項１に記載の表示装置において、
前記駆動回路と電気的に接続された第２パッドと、
画素領域に形成された複数の映像信号線と、
周辺領域に形成された複数の引き出し配線と、
を備え、
前記電圧供給線の他端が前記第２パッドに電気的に接続され、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域を、前記分岐配線のｄ配線部が延在している、表示装置。
【請求項３】
請求項２に記載の表示装置において、
前記トランジスタを複数有し、複数の前記トランジスタは第１方向に配列しており、
前記電圧供給線は、ａ配線部とｂ配線部とｃ配線部と前記ｄ配線部とを有し、
前記ａ配線部は、前記第１パッドから前記第１方向に交差する第２方向に延在し、
前記ｂ配線部は、前記第２パッドから前記第２方向に延在し、
前記ｃ配線部は、前記第１方向に延在し、前記ａ配線部と前記ｂ配線部との間にあり、
前記第１引き出し配線群は、前記ａ配線部と前記ｄ配線部との間にあり、
前記ｄ配線部の幅は、前記ａ配線部の幅よりも大きい、表示装置。
【請求項４】
請求項１〜３の何れか一項に記載の表示装置において、
前記トランジスタを駆動する第２電極駆動回路と、
画素領域に形成された複数の映像信号線と、
周辺領域に形成された複数の引き出し配線と、
を備え、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域に、前記第２電極駆動回路が形成されている、表示装置。
【請求項５】
請求項１〜４の何れか一項に記載の表示装置において、
前記電圧供給線は、第１電圧供給線と第２電圧供給線とを有し、
前記トランジスタは、第１トランジスタと第２トランジスタとを有し、
前記第１電圧供給線は、前記分岐配線としての第１分岐配線を有し、
前記第２電圧供給線は、前記分岐配線としての第２分岐配線を有し、
前記第１電圧供給線は、前記第１トランジスタを介して、前記共通配線と電気的に接続されており、
前記第２電圧供給線は、前記第２トランジスタを介して、前記共通配線と電気的に接続されている、表示装置。
【請求項６】
請求項５に記載の表示装置において、
前記第１電圧供給線は、前記第２電極が前記表示電極として機能する期間に、電圧を供給する配線であり、
前記第２電圧供給線は、前記第２電極が前記検出電極として機能する期間に、電圧を供給する配線であり、
前記第１電圧供給線は、前記第２電圧供給線よりも抵抗値が低い、表示装置。
【請求項７】
請求項５又は６に記載の表示装置において、
前記トランジスタを駆動する第２電極駆動回路と、
画素領域に形成された複数の映像信号線と、
周辺領域に形成された複数の引き出し配線と、
を備え、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域に、前記第１分岐配線と前記第２分岐配線と前記第２電極駆動回路とが形成され、
前記第２電極駆動回路は、前記第１分岐配線と前記第２分岐配線との間にある、表示装置。
【請求項８】
請求項１〜７の何れか一項に記載の表示装置において、
画素領域に形成された複数の映像信号線と、
周辺領域に形成された複数の引き出し配線と、
前記複数の引き出し配線が接続されるドライバチップと、
を備え、
前記分岐配線は、平面視において前記ドライバチップと重畳するｅ配線部を有する、表示装置。
【請求項９】
請求項８に記載の表示装置において、
前記駆動回路と電気的に接続された第２パッドを備え、
前記トランジスタを複数有し、複数の前記トランジスタは第１方向に配列しており、
前記電圧供給線は、ａ配線部とｂ配線部とｃ配線部と前記ｅ配線部とを有し、
前記電圧供給線の他端が前記第２パッドに電気的に接続され、
前記ａ配線部は、前記第１パッドから前記第１方向に交差する第２方向に延在し、
前記ｂ配線部は、前記第２パッドから前記第２方向に延在し、
前記ｃ配線部は、前記第１方向に延在し、前記ａ配線部と前記ｂ配線部との間にあり、
前記ｅ配線部の幅は、前記ａ配線部の幅よりも大きい、表示装置。
【請求項１０】
請求項１〜９の何れか一項に記載の表示装置において、
前記駆動回路と電気的に接続された第２パッドを備え、
前記トランジスタを複数有し、複数の前記トランジスタは第１方向に配列しており、
前記電圧供給線は、ａ配線部とｂ配線部とｃ配線部とを有し、
前記電圧供給線の他端が前記第２パッドに電気的に接続され、
前記ａ配線部は、前記第１パッドから前記第１方向に交差する第２方向に延在し、
前記ｂ配線部は、前記第２パッドから前記第２方向に延在し、
前記ｃ配線部は、前記第１方向に延在し、前記ａ配線部と前記ｂ配線部との間にあり、
前記ｃ配線部の幅は、前記ａ配線部の幅よりも大きい、表示装置。
【発明の詳細な説明】
【技術分野】
【０００１】
本発明は、表示装置に関し、例えば、静電容量の変化に基づいて物体の近接又は接触を検出可能なタッチ検出機能付き表示装置に関する。
【背景技術】
【０００２】
近年、いわゆるタッチパネルと呼ばれる、物体の近接又は接触を検出可能なタッチ検出装置が注目されている。タッチパネルは、液晶表示装置等の表示装置上に装着又は一体化されるタッチ検出機能付き表示装置に用いられている。このタッチ検出機能付き表示装置は、表示装置に各種のボタン画像等を表示させることにより、タッチパネルを通常の機械式ボタンの代わりとして情報入力を可能としている。このようなタッチパネルを有するタッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などのいくつかの方式が存在する。このなかで、静電容量式のタッチ検出装置は、比較的単純な構造を有し、かつ低消費電力が実現できることから、携帯情報端末などに用いられている。例えば、特許文献１には、静電容量式のタッチパネルを有するタッチ検出機能付き表示装置が記載されている。
【先行技術文献】
【特許文献】
【０００４】
【特許文献１】特開２０１５−７５６０５号公報
【発明の概要】
【発明が解決しようとする課題】
【０００５】
上述したタッチ検出機能付き表示装置では、表示機能とタッチ検出機能とが一体化されているため、例えば、表示用の駆動電極と、タッチ検出用の駆動電極とを兼用することが知られている。このため、駆動電極には、各駆動電極を選択的に駆動させるためのスイッチ回路が接続されている。このスイッチ回路は、タッチ検出時に、選択された駆動電極及び非選択の駆動電極に対してそれぞれ所定の電圧を供給する必要がある。
【０００６】
例えば、複数の駆動電極が、パネルの縦方向に沿って延在し、横方向に沿って並列して配置されている場合、タッチ検出時に必要な電圧はパネルの横方向の左側及び右側に配置された電圧供給線からスイッチ回路を経由して各駆動電極に供給される。このため、複数の駆動電極においては、パネルの横方向の中央側に配置されている駆動電極ほど抵抗が高くなり、選択された駆動電極及び非選択の駆動電極の時定数が悪化しやすかった。その結果、時定数に起因するタッチ検出特性の悪化が課題となっている。
【０００７】
本発明の目的は、時定数に起因するタッチ検出特性の改善が可能な表示装置を提供することにある。
【課題を解決するための手段】
【０００８】
本発明の一態様に係わる表示装置は、絶縁性基板と、光学素子層と、前記光学素子層を駆動する第１電極及び第２電極と、駆動回路と、を含む表示装置である。前記表示装置は、前記駆動回路と電気的に接続された第１パッドと、一端が前記第１パッドに電気的に接続された電圧供給線と、前記電圧供給線及び前記第２電極に電気的に接続された共通配線と、前記電圧供給線と前記共通配線との間に形成されたトランジスタと、前記電圧供給線の一部であり、分岐部から延在し、前記第１パッドに電気的に接続された分岐配線と、を備える。そして、平面視において、前記分岐部は、前記第１パッドよりも前記絶縁性基板の中央側に位置するものである。
【図面の簡単な説明】
【０００９】
【図１】実施の形態に係わるタッチ検出機能付き表示装置の概略構成の一例を示すブロック図である。
【図２】実施の形態に係わるタッチ検出機能付き表示装置を実装したモジュールの一例を示す図である。
【図３】実施の形態に係わるタッチ検出機能付き表示デバイスの概略断面構造の一例を示す断面図である。
【図４】実施の形態に係わる液晶表示デバイスの画素配列の一例を示す回路図である。
【図５】実施の形態に係わるタッチ検出デバイスの駆動電極及びタッチ検出電極の構成の一例を示す斜視図である。
【図６】実施の形態に対する比較例に係わる駆動電極スイッチ回路の給電経路の一例を示す説明図である。
【図７】実施の形態に係わるタッチ検出機能付き表示装置において、駆動電極スイッチ回路の給電経路の第１例を示す説明図である。
【図８】実施の形態に係わるタッチ検出機能付き表示装置において、駆動電極を選択的に駆動させるためのスイッチ回路の一例を示す説明図である。
【図９】実施の形態と比較例とにおける駆動電極の遠端を比較するための説明図である。
【図１０】実施の形態に係わるタッチ検出機能付き表示装置において、駆動電極スイッチ回路の給電経路の第２例を示す説明図である。
【図１１】実施の形態に係わるタッチ検出機能付き表示装置において、駆動電極スイッチ回路の給電経路の第３例を示す説明図である。
【図１２】実施の形態に係わるタッチ検出機能付き表示装置において、駆動電極スイッチ回路の給電経路の第４例を示す説明図である。
【図１３】実施の形態に係わるタッチ検出機能付き表示装置において、駆動電極スイッチ回路の給電経路の第５例を示す説明図である。
【発明を実施するための形態】
【００１０】
以下、本発明の各実施の形態について、図面を参照にしつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１１】
また、本明細書と各図において、既出の図に関して前述したものと同様の要素には、同一の符号を付して、詳細な説明を適宜省略することがある。さらに、実施の形態で用いる図面においては、構造物を区別するために付したハッチング（網掛け）を図面に応じて省略する場合もある。
【００１２】
（実施の形態）
以下の実施の形態で説明する技術は、光学素子層が設けられた表示領域の複数の素子に、表示領域の周囲の周辺領域から信号を供給する機構を備える表示装置に広く適用可能である。上記のような表示装置には、例えば、光学素子層として、液晶、ＯＬＥＤ（Organic Light Emitting Diode）、ＭＥＭＳ（Micro Electro Mechanical System）シャッター等を含む種々の表示装置が例示できる。
【００１３】
以下の実施の形態では、表示装置として、液晶表示装置を取り上げて説明するが、その他の適用例として、有機ＥＬ表示装置、その他の自発光型表示装置等、あらゆるフラットパネル型の表示装置が挙げられる。
【００１４】
以下に、実施の形態として、液晶表示装置を、タッチ検出機能付き表示装置に適用した例について説明する。ここで、タッチ検出機能付き表示装置とは、表示装置に含まれる画素基板（トランジスタ基板等とも呼ぶ）及び対向基板（カラーフィルタ基板等とも呼ぶ）のいずれか一方にタッチ検出用の検出電極が設けられた液晶表示装置である。また、実施の形態においては、さらに、駆動電極が、タッチパネルの駆動電極として動作するように設けられている、という特徴を持つインセルタイプのタッチ検出機能付き表示装置について述べる。
【００１５】
＜タッチ検出機能付き表示装置＞
まず、本実施の形態に係わるタッチ検出機能付き表示装置の構成を、図１を用いて説明する。図１は、本実施の形態に係わるタッチ検出機能付き表示装置の概略構成の一例を示すブロック図である。
【００１６】
タッチ検出機能付き表示装置１は、タッチ検出機能付き表示デバイス１０と、制御部１１と、ゲートドライバ１２と、ソースドライバ１３と、ソースセレクタ部１４と、駆動電極ドライバ１５と、駆動信号セレクタ部１６と、タッチ検出部４０とを備えている。このタッチ検出機能付き表示装置１は、タッチ検出機能付き表示デバイス１０がタッチ検出機能を内蔵した表示デバイスである。
【００１７】
タッチ検出機能付き表示デバイス１０は、光学素子として液晶表示素子を用いている液晶表示デバイス２０と静電容量型のタッチ検出デバイス３０とを一体化した、いわゆるインセルタイプの装置である。なお、タッチ検出機能付き表示デバイス１０は、光学素子として液晶表示素子を用いている液晶表示デバイス２０の上に、静電容量型のタッチ検出デバイス３０を装着した、いわゆるオンセルタイプの装置であってもよい。
【００１８】
液晶表示デバイス２０は、ゲートドライバ１２から供給される走査信号Ｖｓｃａｎに従って、１水平ラインずつ順次走査して表示を行うデバイスである。
【００１９】
制御部１１は、外部より供給された映像信号Ｖｄｉｓｐに基づいて、ゲートドライバ１２、ソースドライバ１３、駆動電極ドライバ１５、及びタッチ検出部４０に対してそれぞれ制御信号を供給し、これらが互いに同期して動作するように制御する回路である。
【００２０】
ゲートドライバ１２は、制御部１１から供給される制御信号に基づいて、タッチ検出機能付き表示デバイス１０の表示駆動の対象となる１水平ラインを順次選択する機能を有している。
【００２１】
ソースドライバ１３は、制御部１１から供給される制御信号に基づいて、タッチ検出機能付き表示デバイス１０の、後述（図４）する各画素Ｐｉｘ（副画素ＳＰｉｘ）に画素信号Ｖｐｉｘを供給する回路である。ソースドライバ１３は、１水平ライン分の映像信号から、液晶表示デバイス２０の複数の副画素ＳＰｉｘの画素信号Ｖｐｉｘを時分割多重化した画素信号を生成し、ソースセレクタ部１４に供給する。
【００２２】
また、ソースドライバ１３は、画像信号Ｖｓｉｇに多重化された画素信号Ｖｐｉｘを分離するために必要なスイッチ制御信号ＳＬＳを生成し、画素信号Ｖｐｉｘとともにソースセレクタ部１４に供給する。ソースセレクタ部１４は、後述（図３）するカラーフィルタ３２の各色に対応する副画素ＳＰｉｘ毎に、順次書き込みを行うように、画素信号Ｖｐｉｘを供給するマルチプレクサ駆動を行う。
【００２３】
駆動電極ドライバ１５は、制御部１１から供給される制御信号に基づいて、タッチ検出機能付き表示デバイス１０の、後述（図２）する駆動電極ＣＯＭＬに駆動信号Ｖｃｏｍ（後述する図７及び図８等に示す電圧ＴＰＬと電圧ＴＰＨとで振幅する交流駆動信号、電圧ＶＣＯＭＤＣの直流電圧）を供給する回路である。駆動信号セレクタ部１６は、駆動電極ドライバ１５が生成するスイッチ制御信号ＣＯＭＳに応じて、駆動信号Ｖｃｏｍを供給する駆動電極ＣＯＭＬを選択する。
【００２４】
タッチ検出デバイス３０は、静電容量型タッチ検出の原理に基づいて動作し、タッチ検出信号Ｖｄｅｔを出力するデバイスである。
【００２５】
タッチ検出デバイス３０は、駆動信号セレクタ部１６を介して駆動電極ドライバ１５から供給される駆動信号Ｖｃｏｍをタッチ検出用の駆動信号Ｖｃｏｍ（以下、タッチ駆動信号Ｖｃｏｍともいう）として駆動電極ＣＯＭＬに供給し、タッチ駆動信号Ｖｃｏｍに従って、１検出ブロックずつ順次走査してタッチ検出を行うようになっている。
【００２６】
タッチ検出デバイス３０は、後述（図５）する複数のタッチ検出電極ＴＤＬから、検出ブロックごとにタッチ検出信号Ｖｄｅｔを出力し、タッチ検出部４０に供給するようになっている。
【００２７】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（近接状態又は接触状態）の有無を検出し、タッチがある場合においてタッチ検出領域におけるその座標などを求める回路である。このタッチ検出部４０は、タッチ検出信号増幅部４２と、Ａ／Ｄ（Analog to Digital）変換部４３と、信号処理部４４と、座標抽出部４５と、検出タイミング制御部４６とを備えている。
【００２８】
タッチ検出信号増幅部４２は、タッチ検出デバイス３０から供給されるタッチ検出信号Ｖｄｅｔを増幅する。なお、タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００２９】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００３０】
信号処理部４４は、Ａ／Ｄ変換部４３の出力信号に含まれる、タッチ駆動信号Ｖｃｏｍをサンプリングした周波数よりも高い周波数成分（ノイズ成分）を除去し、タッチ成分を取り出すデジタルフィルタを備えている。信号処理部４４は、Ａ／Ｄ変換部４３の出力信号に基づいて、タッチ検出デバイス３０に対するタッチの有無を検出する論理回路である。
【００３１】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３２】
＜モジュール＞
図２は、本実施の形態に係わるタッチ検出機能付き表示装置を実装したモジュールの一例を示す図である。
【００３３】
図２に示すように、タッチ検出機能付き表示装置１は、液晶表示デバイス２０と、ゲートドライバ１２Ｌ、１２Ｒと、ＲＧＢ選択回路ＳＳＷと、駆動電極スイッチ回路ＣＳＷと、駆動電極駆動回路ＣＤＲと、ドライバチップＩＣとを含む。ＲＧＢ選択回路ＳＳＷは、図１に示したソースセレクタ部１４に含まれる。駆動電極スイッチ回路ＣＳＷは、図１に示した駆動信号セレクタ部１６に含まれる。駆動電極駆動回路ＣＤＲは、図１に示した駆動電極ドライバ１５に含まれる。ドライバチップＩＣは、図１に示した制御部１１、ソースドライバ１３などを含む。
【００３４】
ゲートドライバ１２Ｌ、１２Ｒ、ＲＧＢ選択回路ＳＳＷ、駆動電極スイッチ回路ＣＳＷ及び駆動電極駆動回路ＣＤＲは、ガラス基板であるＴＦＴ基板２１に形成されている。ゲートドライバ１２Ｌ、１２Ｒは、液晶表示デバイス２０を挟んで、平面視で左右（ＴＦＴ基板２１の長辺側）に形成されている。ゲートドライバ１２Ｌは左側に形成され、ゲートドライバ１２Ｒは右側に形成されている。ＲＧＢ選択回路ＳＳＷ、駆動電極スイッチ回路ＣＳＷ及び駆動電極駆動回路ＣＤＲは、平面視で、液晶表示デバイス２０の下側（ＴＦＴ基板２１の短辺側）に形成されている。液晶表示デバイス２０の下側では、ＲＧＢ選択回路ＳＳＷ、駆動電極スイッチ回路ＣＳＷ、駆動電極駆動回路ＣＤＲの並びとなっている。
【００３５】
ドライバチップＩＣは、ＴＦＴ基板２１に実装されたＩＣ（Integrated Circuit）チップであり、図１に示した制御部１１、ソースドライバ１３など、表示動作に必要な各回路を内蔵したものである。ドライバチップＩＣは、平面視で、駆動電極駆動回路ＣＤＲの下側に実装されている。ドライバチップＩＣが実装されるＴＦＴ基板２１の部分をパネルと呼ぶこともある。なお、タッチ検出機能付き表示装置１は、ドライバチップＩＣにゲートドライバ１２などの回路を内蔵してもよい。
【００３６】
ＴＦＴ基板２１には、ＲＧＢ選択回路ＳＳＷが液晶表示デバイス２０の映像信号線ＳＬとドライバチップＩＣとの間に接続されて形成されている。駆動電極スイッチ回路ＣＳＷが駆動電極ＣＯＭＬに接続されて形成されている。
【００３７】
このタッチ検出機能付き表示装置１の液晶表示デバイス２０は、ＴＦＴ基板２１の表面に対する垂直方向（平面視）において、駆動電極ＣＯＭＬと、駆動電極ＣＯＭＬと立体交差するように形成された走査信号線ＧＬとを模式的に示している。また、液晶表示デバイス２０は、ＴＦＴ基板２１の表面に対する垂直方向において、駆動電極ＣＯＭＬと、駆動電極ＣＯＭＬと交差せず平行な方向に延びるように形成された映像信号線ＳＬとを模式的に示している。
【００３８】
駆動電極ＣＯＭＬは、液晶表示デバイス２０の長辺方向（縦方向）に延在して短辺方向（横方向）に並列して形成されており、後述（図５）するタッチ検出電極ＴＤＬは、タッチ検出機能付き表示デバイス１０の短辺方向に延在して長辺方向に並列して形成されている。タッチ検出電極ＴＤＬの出力は、液晶表示デバイス２０の短辺側に設けられ、フレキシブルプリント基板ＦＰＣなどにより構成された端子部を介して、このモジュールの外部に実装されたタッチ検出部４０（図１参照）と接続されている。
【００３９】
フレキシブルプリント基板ＦＰＣには、ＴＦＴ基板２１に形成された駆動電極スイッチ回路ＣＳＷに電源を供給する電圧供給線が形成されている。電圧供給線には、詳細は後述（図７及び図８等）するが、第１電圧供給線Ｌ１（電圧ＶＣＯＭＤＣ）、第２電圧供給線Ｌ２Ｌ（電圧ＴＰＬ）及び第２電圧供給線Ｌ２Ｈ（電圧ＴＰＨ）がある。このフレキシブルプリント基板ＦＰＣを通じて、駆動電極スイッチ回路ＣＳＷに、電圧ＶＣＯＭＤＣ、電圧ＴＰＬ及び電圧ＴＰＨが供給される。
【００４０】
＜タッチ検出機能付き表示デバイス＞
次に、上述したタッチ検出機能付き表示デバイス１０の構成例を詳細に説明する。図３は、本実施の形態に係わるタッチ検出機能付き表示デバイス１０の概略断面構造の一例を示す断面図である。図４は、本実施の形態に係わる液晶表示デバイス２０の画素配列の一例を示す回路図である。
【００４１】
図３に示すように、タッチ検出機能付き表示デバイス１０は、画素基板２と、この画素基板２の表面に垂直な方向に対向して配置された対向基板３と、画素基板２と対向基板３との間に挿設された液晶層６とを備えている。
【００４２】
液晶層６は、複数の液晶分子を備えて構成されており、電界の状態に応じてそこを通過する光を変調させる。なお、図３に示す液晶層６と画素基板２との間、及び液晶層６と対向基板３との間には、それぞれ配向膜が配設されてもよい。
【００４３】
対向基板３は、ガラス基板３１と、このガラス基板３１の一方の面（液晶層６側）に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５Ａが配設されている。
【００４４】
画素基板２は、回路基板としてのＴＦＴ基板２１と、このＴＦＴ基板２１上（液晶層６側）にマトリックス状に配設された複数の画素電極２２と、ＴＦＴ基板２１と画素電極２２との間に形成された複数の駆動電極ＣＯＭＬと、画素電極２２と駆動電極ＣＯＭＬとを絶縁する絶縁層２４と、ＴＦＴ基板２１の下面側に配設された入射側偏光板３５Ｂとを含む。
【００４５】
本実施の形態では、画素電極２２と駆動電極ＣＯＭＬとの間にフリンジ電界を発生させ、それによって液晶分子を回転させるＦＦＳ（Fringe Field Switching）モードが採用されているが、ＩＰＳ（In-Plane Switching）モード等の他の横電界モードを採用することも可能である。なお、縦電界モードとしてのＴＮ（Twisted Nematic）モード又はＶＡ（Vertical Alignment）モード等に採用してもよい。
【００４６】
画素電極２２及び駆動電極ＣＯＭＬは、例えばＩＴＯ（Indium Tin Oxide）等の透過性の導電膜で形成されている。
【００４７】
ＴＦＴ基板２１には、図４に示す各副画素ＳＰｉｘの薄膜トランジスタ（ＴＦＴ；Thin Film Transistor）素子Ｔｒ、各画素電極２２に画素信号Ｖｐｉｘを供給する映像信号線ＳＬ、各ＴＦＴ素子Ｔｒを駆動する走査信号線ＧＬ等の配線が形成されている。図４に示す液晶表示デバイス２０は、マトリックス状に配列した複数の副画素ＳＰｉｘを有している。副画素ＳＰｉｘは、ＴＦＴ素子Ｔｒ、液晶素子ＬＣ及び保持容量Ｃを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは映像信号線ＳＬに接続され、ゲートは走査信号線ＧＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。液晶素子ＬＣは、画素信号Ｖｐｉｘに基づいて画像表示機能を発揮する表示機能層である。保持容量Ｃは、一端がＴＦＴ素子Ｔｒのドレインに接続され、他端が駆動電極ＣＯＭＬに接続されている。
【００４８】
副画素ＳＰｉｘは、走査信号線ＧＬにより、液晶表示デバイス２０の同じ行に属する他の副画素ＳＰｉｘと互いに接続されている。走査信号線ＧＬは、ゲートドライバ１２と接続され、ゲートドライバ１２より走査信号Ｖｓｃａｎが供給される。また、副画素ＳＰｉｘは、映像信号線ＳＬにより、液晶表示デバイス２０の同じ列に属する他の副画素ＳＰｉｘと互いに接続されている。映像信号線ＳＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ列に属する他の副画素ＳＰｉｘと互いに接続されている。駆動電極ＣＯＭＬは、駆動信号セレクタ部１６を介して駆動電極ドライバ１５と接続され、駆動電極ドライバ１５より駆動信号Ｖｃｏｍが供給される。つまり、この例では、同じ一列に属する複数の副画素ＳＰｉｘが一本の駆動電極ＣＯＭＬを共有するようになっている。
【００４９】
図１に示すゲートドライバ１２は、走査信号Ｖｓｃａｎを、図４に示す走査信号線ＧＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１に示すソースドライバ１３は、画素信号Ｖｐｉｘを、図４に示す映像信号線ＳＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１５は、駆動信号Ｖｃｏｍを印加し、図３及び図４等に示す駆動電極ＣＯＭＬを駆動する。
【００５０】
上述したように、液晶表示デバイス２０は、ゲートドライバ１２が走査信号線ＧＬを時分割的に線順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１５は、その１水平ラインに対応する駆動電極ＣＯＭＬに対して、表示用の駆動信号Ｖｃｏｍを印加するようになっている。このように、駆動電極ＣＯＭＬは、液晶表示デバイス２０の共通電極（コモン電極）として機能するとともに、タッチ検出デバイス３０の駆動電極としても機能する。以下の説明では、表示駆動信号としての駆動信号Ｖｃｏｍを表示駆動信号Ｖｃｏｍとも記載し、タッチ駆動信号としての駆動信号Ｖｃｏｍをタッチ駆動信号Ｖｃｏｍとも記載する。
【００５１】
図３に示すカラーフィルタ３２は、例えば赤（Ｒ）、緑（Ｇ）、青（Ｂ）の３色に着色されたカラーフィルタの色領域を周期的に配列して、上述した図４に示す各副画素ＳＰｉｘにＲ、Ｇ、Ｂの３色の色領域３２Ｒ、３２Ｇ、３２Ｂが１組として画素Ｐｉｘとして対応付けられている。このように、副画素Ｓｐｉｘは、単色の色表示を行うことができる。カラーフィルタ３２は、ＴＦＴ基板２１と垂直な方向において、液晶層６と対向する。なお、カラーフィルタ３２は、異なる色に着色されていれば、他の色の組み合わせであってもよい。カラーフィルタ３２は、なくてもよい。このように、カラーフィルタが存在しない領域、すなわち透明な副画素があってもよい。
【００５２】
本実施の形態に係わる駆動電極ＣＯＭＬは、液晶表示デバイス２０の駆動電極として機能するとともに、タッチ検出デバイス３０の駆動電極としても機能する。駆動電極ＣＯＭＬは、ＴＦＴ基板２１の表面に対する垂直方向において、画素電極２２に対向している。一つの駆動電極ＣＯＭＬが１つの画素電極２２（１列を構成する画素電極２２）に対応するように配置されている。また、駆動電極ＣＯＭＬは、映像信号線ＳＬが延在する方向と平行な方向に延在している。なお、駆動電極ＣＯＭＬは、映像信号線ＳＬが延在する方向と直交する方向、すなわち走査信号線ＧＬが延在する方向において、平面視で画素（副画素）を１つ以上含む幅にて分割されていれば、上述した映像信号線ＳＬが延在する方向と異なる方向に延在していてもよい。
【００５３】
図５は、本実施の形態に係わるタッチ検出デバイス３０の駆動電極及びタッチ検出電極の構成の一例を示す斜視図である。図５に示すように、タッチ検出デバイス３０は、対向基板３に設けられたタッチ検出電極ＴＤＬ、及び画素基板２に設けられた駆動電極ＣＯＭＬにより構成されている。また、駆動電極ＣＯＭＬは、一方向に延在する複数のストライプ状の電極パターンに分割されている。なお、駆動電極ＣＯＭＬは、ストライプ状に複数に分割される形状に限られない。例えば、駆動電極ＣＯＭＬは、櫛歯形状であってもよい。あるいは、駆動電極ＣＯＭＬは、複数に分割されていればよく、駆動電極ＣＯＭＬを分割するスリットの形状は直線であっても、曲線であってもよい。また、駆動電極ＣＯＭＬは、選択信号線に対応する画素電極が表示する副画素Ｓｐｉｘが映像信号線ＳＬの延在する方向と直交する幅と同じ長さで分割されていてもよい。
【００５４】
タッチ検出動作を行う際は、駆動電極ＣＯＭＬの各電極パターンには、駆動電極ドライバ１５（駆動電極駆動回路ＣＤＲ）及び駆動信号セレクタ部１６（駆動電極スイッチ回路ＣＳＷ）によって駆動信号Ｖｃｏｍが順次供給され、時分割的に線順次走査駆動が行われるようになっている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０（図１参照）のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。
【００５５】
この構成により、タッチ検出デバイス３０では、タッチ検出動作を行う際、図１に示す駆動電極ドライバ１５及び駆動信号セレクタ部１６が時分割的に線順次走査するように駆動する。駆動電極ドライバ１５及び駆動信号セレクタ部１６は、例えば選択した駆動電極ＣＯＭＬだけ、駆動信号Ｖｃｏｍ（後述する図７及び図８等に示す電圧ＴＰＬと電圧ＴＰＨとで振幅する交流駆動信号）を供給し、選択されていない駆動電極ＣＯＭＬには、駆動信号Ｖｃｏｍを供給しない。この選択されていない駆動電極ＣＯＭＬは一定の電位（後述する図７及び図８等に示す電圧ＶＣＯＭＤＣの直流電圧）にする。これにより、走査方向Ｓｃａｎに駆動電極ＣＯＭＬの１検出ブロック（タッチ検出電極ＴＤＬ）が順次選択され、タッチ検出デバイス３０は、タッチ検出電極ＴＤＬからタッチ検出信号Ｖｄｅｔを出力する。
【００５６】
例えば、上述した駆動電極ＣＯＭＬは、映像信号線ＳＬが延在する方向と異なる方向に走査可能なように複数分割されている。このため、走査方向Ｓｃａｎは、映像信号線ＳＬが延在する方向と異なる方向になっている。このようにタッチ検出デバイス３０は、１検出ブロックのタッチ検出が行われるようになっている。そして、図５に示すように、互いに立体交差した電極パターンは、静電容量式タッチセンサをマトリックス状に構成している。よって、タッチ検出デバイス３０のタッチ検出面全体にわたって走査することにより、外部物体の近接又は接触が生じた位置の検出も可能となっている。
【００５７】
＜駆動電極スイッチ回路の給電経路＞
次に、本実施の形態に係わるタッチ検出機能付き表示装置１の特徴である駆動電極スイッチ回路の給電経路について説明する。ここでは、本実施の形態に係わるタッチ検出機能付き表示装置１の特徴を分かり易くするために、本実施の形態に対する比較例に係わるタッチ検出機能付き表示装置と比較しながら説明する。図６は、本実施の形態に対する比較例に係わる駆動電極スイッチ回路の給電経路の一例を示す説明図である。
【００５８】
本実施の形態のようなタッチ検出機能付き表示装置では、表示機能とタッチ検出機能とが一体化されているため、表示用の駆動電極と、タッチ検出用の駆動電極とを兼用している。このため、駆動電極ＣＯＭＬには、各駆動電極ＣＯＭＬを選択的に駆動させるためのスイッチ回路ＣＳＷが接続されている。このスイッチ回路ＣＳＷは、タッチ検出時に、選択された駆動電極ＣＯＭＬ及び非選択の駆動電極ＣＯＭＬに対してそれぞれ所定の電圧を供給する必要がある。
【００５９】
例えば、本実施の形態に対する比較例を示す図６のように、平面視において、複数の駆動電極ＣＯＭＬが、パネルの縦方向（第２方向）に沿って延在し、横方向（第１方向）に沿って並列して配置されている場合、スイッチ回路ＣＳＷは、各駆動電極ＣＯＭＬの下側端部にスイッチ回路ＣＳＷを構成する各スイッチが電気的に接続可能に配置されている（後述する図８参照）。スイッチ回路ＣＳＷの各スイッチは、各駆動電極ＣＯＭＬの配置に倣い、横方向に沿って並列して配置されている。すなわち、図６において、複数の駆動電極ＣＯＭＬが配置された画素領域（表示領域）の下側には周辺領域があり、この周辺領域には、スイッチ回路ＣＳＷが配置され、さらに、スイッチ回路ＣＳＷの下側にはドライバチップＩＣが配置されている。さらに、ドライバチップＩＣの下側にはフレキシブルプリント基板ＦＰＣが配置されている。
【００６０】
このような構成において、本実施の形態に対する比較例では、図６における平面視において、タッチ検出時に必要な電圧は、フレキシブルプリント基板ＦＰＣから入力され、パネルの横方向の左側及び右側に配置された第１電圧供給線Ｌ１（電圧ＶＣＯＭＤＣ）、第２電圧供給線Ｌ２Ｌ（電圧ＴＰＬ）及び第２電圧供給線Ｌ２Ｈ（電圧ＴＰＨ）の左右両方からスイッチ回路ＣＳＷを経由して各駆動電極ＣＯＭＬに供給される。このため、複数の駆動電極ＣＯＭＬにおいては、パネルの横方向の中央側に配置されている駆動電極ＣＯＭＬほど抵抗が高くなり、選択された駆動電極ＣＯＭＬ及び非選択の駆動電極ＣＯＭＬの時定数が悪化しやすかった。その結果、時定数に起因するタッチ検出特性の悪化が課題となっている。
【００６１】
すなわち、時定数τは抵抗Ｒと静電容量Ｃとの積（τ＝Ｒ×Ｃ）で表され、抵抗値に比例して大きくなる。よって、図６に示す比較例では、パネルの横方向の中央側ほど電源の抵抗が高くなり、時定数の不足によるタッチ検出特性の悪化が起きる。このタッチ検出特性の悪化は、選択された駆動電極ＣＯＭＬ及び非選択の駆動電極ＣＯＭＬのどちらにも発生する。この現象は、パネルの寸法が大きくなるほど、また、解像度が向上するほど顕著になる。
【００６２】
そこで、本実施の形態に係わるタッチ検出機能付き表示装置では、比較例に係わるタッチ検出機能付き表示装置の課題を解決し、時定数に起因するタッチ検出特性の改善を可能とするものである。以下において、本実施の形態に係わるタッチ検出機能付き表示装置において、駆動電極スイッチ回路の給電経路の各例について説明する。
【００６３】
＜駆動電極スイッチ回路の給電経路の第１例＞
図７は、本実施の形態に係わるタッチ検出機能付き表示装置において、駆動電極スイッチ回路の給電経路の第１例を示す説明図である。図８は、駆動電極を選択的に駆動させるためのスイッチ回路の一例を示す説明図である。図９は、本実施の形態と比較例とにおける駆動電極の遠端を比較するための説明図である。
【００６４】
本実施の形態に係わるタッチ検出機能付き表示装置は、図７及び図８（図１〜図５等も参照）に示すように、絶縁性基板（画素基板２）と、光学素子層（液晶層６）と、光学素子層を駆動する第１電極（画素電極２２）及び第２電極（駆動電極ＣＯＭＬ）と、駆動回路（フレキシブルプリント基板ＦＰＣ又はドライバチップＩＣ）と、を含む表示装置である。この表示装置は、第１パッドＰ１ＤＣ、Ｐ１Ｌ、Ｐ１Ｈ及び第２パッドＰ２ＤＣ、Ｐ２Ｌ、Ｐ２Ｈと、電圧供給線である第１電圧供給線Ｌ１、第２電圧供給線Ｌ２Ｌ及び第２電圧供給線Ｌ２Ｈと、共通配線ＣＬと、トランジスタＴ１、Ｔ２Ｌ、Ｔ２Ｈと、分岐配線と、を備える。
【００６５】
第１パッドＰ１ＤＣ、Ｐ１Ｌ、Ｐ１Ｈ及び第２パッドＰ２ＤＣ、Ｐ２Ｌ、Ｐ２Ｈは、駆動回路であるフレキシブルプリント基板ＦＰＣ又はドライバチップＩＣと電気的に接続されている。ここでは、第１パッドＰ１ＤＣ、Ｐ１Ｌ、Ｐ１Ｈ及び第２パッドＰ２ＤＣ、Ｐ２Ｌ、Ｐ２Ｈは、駆動回路であるフレキシブルプリント基板ＦＰＣと電気的に接続され、フレキシブルプリント基板ＦＰＣとの接続部において、第１パッドＰ１ＤＣ、Ｐ１Ｌ、Ｐ１Ｈがパネルの横方向（第１方向）の左側に配置され、第２パッドＰ２ＤＣ、Ｐ２Ｌ、Ｐ２Ｈがパネルの横方向の右側に配置されている。
【００６６】
電圧供給線である第１電圧供給線Ｌ１、第２電圧供給線Ｌ２Ｌ及び第２電圧供給線Ｌ２Ｈは、一端が第１パッドＰ１ＤＣ、Ｐ１Ｌ、Ｐ１Ｈに電気的に接続され、他端が第２パッドＰ２ＤＣ、Ｐ２Ｌ、Ｐ２Ｈに電気的に接続されている。分岐配線は、第１電圧供給線Ｌ１、第２電圧供給線Ｌ２Ｌ及び第２電圧供給線Ｌ２Ｈの一部であり、分岐部Ｌ１Ａ、Ｌ２ＬＡ、Ｌ２ＨＡから延在し、第１パッドＰ１ＤＣ、Ｐ１Ｌ、Ｐ１Ｈに電気的に接続されている。共通配線ＣＬは、第１電圧供給線Ｌ１、第２電圧供給線Ｌ２Ｌ及び第２電圧供給線Ｌ２Ｈ、及び、第２電極である駆動電極ＣＯＭＬに電気的に接続されている。なお、本明細書において、第１電圧供給線が分かれる２つの部分Ｌ１ＡとＬ１Ｂのうち、Ｌ１Ａを分岐部とし、Ｌ１Ｂを合流部としている。しかし、これは説明のために区別して記載しているだけであり、Ｌ１Ｂを分岐部とし、Ｌ１Ａを合流部としてもよい。第２電圧供給線においても同様である。
【００６７】
トランジスタＴ１、Ｔ２Ｌ、Ｔ２Ｈは、第１電圧供給線Ｌ１、第２電圧供給線Ｌ２Ｌ及び第２電圧供給線Ｌ２Ｈと共通配線ＣＬとの間に形成されている。このトランジスタＴ１、Ｔ２Ｌ、Ｔ２Ｈは、スイッチ回路ＣＳＷの各スイッチとして機能する。トランジスタＴ１、Ｔ２Ｌ、Ｔ２Ｈは、例えば、画素を構成するＴＦＴ素子Ｔｒと同様に、薄膜トランジスタにより構成されている。
【００６８】
さらに、本実施の形態に係わるタッチ検出機能付き表示装置は、図７及び図８（図１〜図５等も参照）に示すように、複数の映像信号線ＳＬと、複数の引き出し配線ＷＬと、第２電極駆動回路である駆動電極駆動回路ＣＤＲと、ドライバチップＩＣと、を備える。
【００６９】
複数の映像信号線ＳＬは、画素領域に形成されている。複数の引き出し配線ＷＬは、周辺領域に形成されている。複数の引き出し配線ＷＬの一つは、複数の映像信号線ＳＬの一つと接続されている。複数の引き出し配線ＷＬは、第１引き出し配線群ＷＬＡと第２引き出し配線群ＷＬＢとを含む。この第１引き出し配線群ＷＬＡ及び第２引き出し配線群ＷＬＢは、一端がドライバチップＩＣに接続され、他端がＲＧＢ選択回路ＳＳＷに接続されている。この第１引き出し配線群ＷＬＡ及び第２引き出し配線群ＷＬＢにおいて、第１引き出し配線群ＷＬＡはドライバチップＩＣとの接続部がパネルの横方向（第１方向）の左側に配置され、第２引き出し配線群ＷＬＢはドライバチップＩＣとの接続部がパネルの横方向の右側に配置されている。
【００７０】
駆動電極駆動回路ＣＤＲは、トランジスタＴ１、Ｔ２Ｌ、Ｔ２Ｈを駆動する。この駆動電極駆動回路ＣＤＲは、第１引き出し配線群ＷＬＡと第２引き出し配線群ＷＬＢとの間に配置されている。ドライバチップＩＣは、複数の引き出し配線ＷＬが接続されている。
【００７１】
本実施の形態に係わるタッチ検出機能付き表示装置において、第２電極である駆動電極ＣＯＭＬは、画像を表示する表示電極、及び、物体の近接又は接触を検出する検出電極としての機能を有している。電圧供給線のうち、第１電圧供給線Ｌ１は、駆動電極ＣＯＭＬが表示電極として機能する表示期間に、電圧ＶＣＯＭＤＣの直流電圧を供給する配線である。
【００７２】
第２電圧供給線Ｌ２Ｌ及び第２電圧供給線Ｌ２Ｈは、駆動電極ＣＯＭＬが検出電極として機能するタッチ検出期間に、電圧ＴＰＬ及び電圧ＴＰＨを供給する配線である。相対的に、電圧ＴＰＬは低レベルの電圧であり、電圧ＴＰＨは高レベルの電圧である。第２電圧供給線Ｌ２Ｌが電圧ＴＰＬを供給し、第２電圧供給線Ｌ２Ｈが電圧ＴＰＨを供給することで、電圧ＴＰＬと電圧ＴＰＨとで振幅する交流駆動信号が生成される。ここでは、電圧ＴＰＬと電圧ＴＰＨとで振幅する交流駆動信号を第２電圧供給線Ｌ２Ｌ及び第２電圧供給線Ｌ２Ｈを用いて生成する場合を説明したが、この交流駆動信号を１本の電圧供給線で供給することも可能である。
【００７３】
図７及び図８に示す駆動電極スイッチ回路の給電経路の第１例では、平面視において、パネルの横方向（第１方向）の左側及び右側に配置された第１電圧供給線Ｌ１（電圧ＶＣＯＭＤＣ）、第２電圧供給線Ｌ２Ｌ（電圧ＴＰＬ）及び第２電圧供給線Ｌ２Ｈ（電圧ＴＰＨ）の３種類の電源について、図６に示す比較例のような左側及び右側の両方からの給電経路に加えて、ドライバチップＩＣの横方向から３種類の電源の分岐配線を引き入れ、ドライバチップＩＣの下を引き回し、中央部分から引き出してスイッチ回路ＣＳＷの中央部へ入力する給電経路も設けられている。
【００７４】
図７及び図８の例において、第１電圧供給線Ｌ１については、ドライバチップＩＣの横方向である左側及び右側の両方から分岐配線を引き入れ、ドライバチップＩＣの下を引き回して両方を合流し、駆動電極駆動回路ＣＤＲの左側を通り、中央部分から引き出してスイッチ回路ＣＳＷの中央部へ入力する給電経路が追加されている。第２電圧供給線Ｌ２Ｌについては、ドライバチップＩＣの横方向である左側から分岐配線を引き入れ、ドライバチップＩＣの下を引き回し、駆動電極駆動回路ＣＤＲの右側を通り、中央部分から引き出してスイッチ回路ＣＳＷの中央部へ入力する給電経路が追加されている。第２電圧供給線Ｌ２Ｈについては、ドライバチップＩＣの横方向である右側から分岐配線を引き入れ、ドライバチップＩＣの下を引き回し、駆動電極駆動回路ＣＤＲの右側を通り、中央部分から引き出してスイッチ回路ＣＳＷの中央部へ入力する給電経路が追加されている。
【００７５】
具体的には、第１電圧供給線Ｌ１（電圧ＶＣＯＭＤＣ）は、ａ配線部Ｌ１ａと、ｂ配線部Ｌ１ｂと、ｃ配線部Ｌ１ｃと、ｄ配線部Ｌ１ｄと、ｅ配線部Ｌ１ｅと、を有する。このうち、ｄ配線部Ｌ１ｄ及びｅ配線部Ｌ１ｅは、第１電圧供給線Ｌ１の一部である分岐配線である。
【００７６】
ａ配線部Ｌ１ａは、一端が第１パッドＰ１ＤＣに接続され、第１パッドＰ１ＤＣから第２方向である縦方向に延在して形成されている。このａ配線部Ｌ１ａには、分岐配線の合流部Ｌ１Ｂが設けられている。ｂ配線部Ｌ１ｂは、一端が第２パッドＰ２ＤＣに接続され、第２パッドＰ２ＤＣから縦方向に延在して形成されている。このｂ配線部Ｌ１ｂには、分岐配線の合流部Ｌ１Ｂが設けられている。
【００７７】
ｃ配線部Ｌ１ｃは、第１方向である横方向に延在し、一端がａ配線部Ｌ１ａの他端に接続され、他端がｂ配線部Ｌ１ｂの他端に接続され、ａ配線部Ｌ１ａとｂ配線部Ｌ１ｂとの間に形成されている。このｃ配線部Ｌ１ｃは、スイッチ回路ＣＳＷの各スイッチとして機能するトランジスタＴ１に接続されている。このｃ配線部Ｌ１ｃには、横方向の中央部に分岐部Ｌ１Ａが設けられている。
【００７８】
ｃ配線部Ｌ１ｃは、ａ配線部Ｌ１ａとｂ配線部Ｌ１ｂよりも幅又は厚さが大きくなっており、低抵抗になっている。ｃ配線部Ｌ１ｃを低抵抗にした場合は、ｃ配線部Ｌ１ｃは横方向に長い距離延在しているため、第１電圧供給線Ｌ１の抵抗が大きく低下し、第１電圧供給線Ｌ１の時定数が改善する。
【００７９】
ｄ配線部Ｌ１ｄは、ｃ配線部Ｌ１ｃの分岐部Ｌ１Ａから縦方向に延在し、一端がｃ配線部Ｌ１ｃの分岐部Ｌ１Ａに接続され、他端がｅ配線部Ｌ１ｅの一端に接続されている。このｄ配線部Ｌ１ｄは、分岐部Ｌ１Ａから駆動電極駆動回路ＣＤＲの左側を通りｅ配線部Ｌ１ｅに繋がっている。ｅ配線部Ｌ１ｅは、横方向に延在し、一端がｄ配線部Ｌ１ｄの他端に接続され、他端がａ配線部Ｌ１ａの合流部Ｌ１Ｂ及びｂ配線部Ｌ１ｂの合流部Ｌ１Ｂに接続されている。このｅ配線部Ｌ１ｅは、ドライバチップＩＣの下に配置されている。
【００８０】
この第１電圧供給線Ｌ１では、平面視において、分岐部Ｌ１Ａは、第１パッドＰ１ＤＣ及び第２パッドＰ２ＤＣよりも絶縁性基板である画素基板２の中央側に位置する配置となっている。これにより、駆動電極ＣＯＭＬに対する給電経路が、画素基板２の左側、右側と中央側との３系統に増える。そのため、図９に示すように、駆動電極ＣＯＭＬの遠端（最も時定数が大きい部分）は、本実施の形態に対する比較例では画素基板２の横方向の中心であったが、本実施の形態では左右にずれる。この結果、電源供給線の時定数を下げることができる。
【００８１】
また、ドライバチップＩＣとの接続部の複数の引き出し配線ＷＬは、第１引き出し配線群ＷＬＡと第２引き出し配線群ＷＬＢとを含む。そして、第１引き出し配線群ＷＬＡと第２引き出し配線群ＷＬＢとの間の領域を、第１電圧供給線Ｌ１の分岐配線のｄ配線部Ｌ１ｄが延在している。
【００８２】
また、第１引き出し配線群ＷＬＡは、ａ配線部Ｌ１ａとｄ配線部Ｌ１ｄとの間にある。そして、ｄ配線部Ｌ１ｄの幅は、ａ配線部Ｌ１ａの幅よりも大きい構造になっている。同様に、第２引き出し配線群ＷＬＢは、ｂ配線部Ｌ１ｂとｄ配線部Ｌ１ｄとの間にある。そして、ｄ配線部Ｌ１ｄの幅は、ｂ配線部Ｌ１ｂの幅よりも大きい構造になっている。ここでは、平面視における配線部の幅を規定したが、断面視における厚さを規定することも可能である。厚さを規定する場合には、ｄ配線部Ｌ１ｄの厚さは、ａ配線部Ｌ１ａ及びｂ配線部Ｌ１ｂの厚さよりも大きい構造にする。このように、配線部の幅あるいは厚さ、あるいはその両方を大きい構造にすることで、電源の低抵抗化が可能となる。また、ｄ配線部Ｌ１ｄの幅の方を大きくすると、ａ配線部Ｌ１ａ及びｂ配線部Ｌ１ｂの幅の方を小さくすることができるので、下辺（ドライバエリア）の額縁の狭額縁化にも有利である。
【００８３】
また、第１引き出し配線群ＷＬＡと第２引き出し配線群ＷＬＢとの間の領域に、スイッチ回路ＣＳＷの各スイッチとして機能するトランジスタＴ１を駆動する駆動電極駆動回路ＣＤＲが形成されている。
【００８４】
また、第１電圧供給線Ｌ１の分岐配線は、平面視においてドライバチップＩＣと重畳するｅ配線部Ｌ１ｅを有する。このｅ配線部Ｌ１ｅの幅は、ａ配線部Ｌ１ａの幅よりも大きい構造になっている。同様に、ｅ配線部Ｌ１ｅの幅は、ｂ配線部Ｌ１ｂの幅よりも大きい構造になっている。ここでは、平面視における配線部の幅を規定したが、断面視における厚さを規定することも可能である。厚さを規定する場合には、ｅ配線部Ｌ１ｅの厚さは、ａ配線部Ｌ１ａ及びｂ配線部Ｌ１ｂの厚さよりも大きい構造にする。このような構造にすることで、電源の低抵抗化が可能となると共に、ｅ配線部Ｌ１ｅの幅の方を大きくすると、ａ配線部Ｌ１ａ及びｂ配線部Ｌ１ｂの幅の方を小さくすることができるので、下辺（ドライバエリア）の額縁の狭額縁化にも有利である。
【００８５】
次に、第２電圧供給線Ｌ２Ｌ（電圧ＴＰＬ）については、以下の通りである。第２電圧供給線Ｌ２Ｌは、ａ配線部Ｌ２Ｌａと、ｂ配線部Ｌ２Ｌｂと、ｃ配線部Ｌ２Ｌｃと、ｄ配線部Ｌ２Ｌｄと、ｅ配線部Ｌ２Ｌｅと、を有する。このうち、ｄ配線部Ｌ２Ｌｄ及びｅ配線部Ｌ２Ｌｅは、第２電圧供給線Ｌ２Ｌの一部である分岐配線である。
【００８６】
ａ配線部Ｌ２Ｌａは、一端が第１パッドＰ１Ｌに接続され、第１パッドＰ１Ｌから第２方向である縦方向に延在して形成されている。このａ配線部Ｌ２Ｌａには、分岐配線の合流部Ｌ２ＬＢが設けられている。ｂ配線部Ｌ２Ｌｂは、一端が第２パッドＰ２Ｌに接続され、第２パッドＰ２Ｌから縦方向に延在して形成されている。
【００８７】
ｃ配線部Ｌ２Ｌｃは、第１方向である横方向に延在し、一端がａ配線部Ｌ２Ｌａの他端に接続され、他端がｂ配線部Ｌ２Ｌｂの他端に接続され、ａ配線部Ｌ２Ｌａとｂ配線部Ｌ２Ｌｂとの間に形成されている。このｃ配線部Ｌ２Ｌｃは、スイッチ回路ＣＳＷの各スイッチとして機能するトランジスタＴ２Ｌに接続されている。このｃ配線部Ｌ２Ｌｃには、横方向の中央部に分岐部Ｌ２ＬＡが設けられている。
【００８８】
ｃ配線部Ｌ２Ｌｃは、ａ配線部Ｌ２Ｌａとｂ配線部Ｌ２Ｌｂよりも幅又は厚さが大きくなっており、低抵抗になっている。ｃ配線部Ｌ２Ｌｃを低抵抗にした場合は、ｃ配線部Ｌ２Ｌｃは横方向に長い距離延在しているため、第２電圧供給線Ｌ２の抵抗が大きく低下し、第２電圧供給線Ｌ２の時定数が改善する。
【００８９】
ｄ配線部Ｌ２Ｌｄは、ｃ配線部Ｌ２Ｌｃの分岐部Ｌ２ＬＡから縦方向に延在し、一端がｃ配線部Ｌ２Ｌｃの分岐部Ｌ２ＬＡに接続され、他端がｅ配線部Ｌ２Ｌｅの一端に接続されている。このｄ配線部Ｌ２Ｌｄは、分岐部Ｌ２ＬＡから駆動電極駆動回路ＣＤＲの右側を通りｅ配線部Ｌ２Ｌｅに繋がっている。ｅ配線部Ｌ２Ｌｅは、横方向に延在し、一端がｄ配線部Ｌ２Ｌｄの他端に接続され、他端がａ配線部Ｌ２Ｌａの合流部Ｌ２ＬＢに接続されている。このｅ配線部Ｌ２Ｌｅは、ドライバチップＩＣの下に配置されている。
【００９０】
この第２電圧供給線Ｌ２Ｌにおいても、第１電圧供給線Ｌ１と同様に、平面視において、分岐部Ｌ２ＬＡは、第１パッドＰ１Ｌ及び第２パッドＰ２Ｌよりも絶縁性基板である画素基板２の中央側に位置する配置となっている。
【００９１】
また、第１引き出し配線群ＷＬＡと第２引き出し配線群ＷＬＢとの間の領域を、第２電圧供給線Ｌ２Ｌの分岐配線のｄ配線部Ｌ２Ｌｄが延在している。このｄ配線部Ｌ２Ｌｄの幅（あるいは厚さ、あるいはその両方）は、ａ配線部Ｌ２Ｌａ及びｂ配線部Ｌ２Ｌｂの幅（あるいは厚さ、あるいはその両方）よりも大きい構造になっている。
【００９２】
また、第１引き出し配線群ＷＬＡと第２引き出し配線群ＷＬＢとの間の領域に、スイッチ回路ＣＳＷの各スイッチとして機能するトランジスタＴ２Ｌを駆動する駆動電極駆動回路ＣＤＲが形成されている。
【００９３】
また、第２電圧供給線Ｌ２Ｌの分岐配線は、平面視においてドライバチップＩＣと重畳するｅ配線部Ｌ２Ｌｅを有する。このｅ配線部Ｌ２Ｌｅの幅（あるいは厚さ、あるいはその両方）は、ａ配線部Ｌ２Ｌａ及びｂ配線部Ｌ２Ｌｂの幅（あるいは厚さ、あるいはその両方）よりも大きい構造になっている。このような構造により、第２電圧供給線Ｌ２Ｌにおいても、第１電圧供給線Ｌ１と同様の効果を得ることができる。
【００９４】
次に、第２電圧供給線Ｌ２Ｈ（電圧ＴＰＨ）については、以下の通りである。第２電圧供給線Ｌ２Ｈは、ａ配線部Ｌ２Ｈａと、ｂ配線部Ｌ２Ｈｂと、ｃ配線部Ｌ２Ｈｃと、ｄ配線部Ｌ２Ｌｄと、ｅ配線部Ｌ２Ｈｅと、を有する。このうち、ｄ配線部Ｌ２Ｈｄ及びｅ配線部Ｌ２Ｈｅは、第２電圧供給線Ｌ２Ｈの一部である分岐配線である。
【００９５】
ａ配線部Ｌ２Ｈａは、一端が第１パッドＰ１Ｈに接続され、第１パッドＰ１Ｈから第２方向である縦方向に延在して形成されている。ｂ配線部Ｌ２Ｈｂは、一端が第２パッドＰ２Ｈに接続され、第２パッドＰ２Ｈから縦方向に延在して形成されている。このｂ配線部Ｌ２Ｈｂには、分岐配線の合流部Ｌ２ＨＢが設けられている。
【００９６】
ｃ配線部Ｌ２Ｈｃは、第１方向である横方向に延在し、一端がａ配線部Ｌ２Ｈａの他端に接続され、他端がｂ配線部Ｌ２Ｈｂの他端に接続され、ａ配線部Ｌ２Ｈａとｂ配線部Ｌ２Ｈｂとの間に形成されている。このｃ配線部Ｌ２Ｈｃは、スイッチ回路ＣＳＷの各スイッチとして機能するトランジスタＴ２Ｈに接続されている。このｃ配線部Ｌ２Ｈｃには、横方向の中央部に分岐部Ｌ２ＨＡが設けられている。
【００９７】
ｄ配線部Ｌ２Ｈｄは、ｃ配線部Ｌ２Ｈｃの分岐部Ｌ２ＨＡから縦方向に延在し、一端がｃ配線部Ｌ２Ｈｃの分岐部Ｌ２ＨＡに接続され、他端がｅ配線部Ｌ２Ｈｅの一端に接続されている。このｄ配線部Ｌ２Ｈｄは、分岐部Ｌ２ＨＡから駆動電極駆動回路ＣＤＲの右側を通りｅ配線部Ｌ２Ｈｅに繋がっている。ｅ配線部Ｌ２Ｈｅは、横方向に延在し、一端がｄ配線部Ｌ２Ｈｄの他端に接続され、他端がｂ配線部Ｌ２Ｈｂの合流部Ｌ２ＨＢに接続されている。このｅ配線部Ｌ２Ｈｅは、ドライバチップＩＣの下に配置されている。
【００９８】
この第２電圧供給線Ｌ２Ｈにおいても、第１電圧供給線Ｌ１と同様に、平面視において、分岐部Ｌ２ＨＡは、第１パッドＰ１Ｈ及び第２パッドＰ２Ｈよりも絶縁性基板である画素基板２の中央側に位置する配置となっている。
【００９９】
また、第１引き出し配線群ＷＬＡと第２引き出し配線群ＷＬＢとの間の領域を、第２電圧供給線Ｌ２Ｈの分岐配線のｄ配線部Ｌ２Ｈｄが延在している。このｄ配線部Ｌ２Ｈｄの幅（あるいは厚さ、あるいはその両方）は、ａ配線部Ｌ２Ｈａ及びｂ配線部Ｌ２Ｈｂの幅（あるいは厚さ、あるいはその両方）よりも大きい構造になっている。
【０１００】
また、第１引き出し配線群ＷＬＡと第２引き出し配線群ＷＬＢとの間の領域に、スイッチ回路ＣＳＷの各スイッチとして機能するトランジスタＴ２Ｈを駆動する駆動電極駆動回路ＣＤＲが形成されている。
【０１０１】
また、第２電圧供給線Ｌ２Ｈの分岐配線は、平面視においてドライバチップＩＣと重畳するｅ配線部Ｌ２Ｈｅを有する。このｅ配線部Ｌ２Ｈｅの幅（あるいは厚さ、あるいはその両方）は、ａ配線部Ｌ２Ｈａ及びｂ配線部Ｌ２Ｈｂの幅（あるいは厚さ、あるいはその両方）よりも大きい構造になっている。このような構造により、第２電圧供給線Ｌ２Ｈにおいても、第１電圧供給線Ｌ１と同様の効果を得ることができる。
【０１０２】
さらに、図７及び図８を用いて、第１電圧供給線Ｌ１、第２電圧供給線Ｌ２Ｌ及び第２電圧供給線Ｌ２Ｈを比較する。第１電圧供給線Ｌ１は、第２電極である駆動電極ＣＯＭＬが画像を表示する表示電極として機能する表示期間に、電圧ＶＣＯＭＤＣを供給する配線である。第２電圧供給線Ｌ２Ｌ及び第２電圧供給線Ｌ２Ｈは、駆動電極ＣＯＭＬが物体の近接又は接触を検出する検出電極として機能するタッチ検出期間に、電圧ＴＰＬ及び電圧ＴＰＨを供給する配線である。第２電圧供給線Ｌ２Ｌが電圧ＴＰＬを供給し、第２電圧供給線Ｌ２Ｈが電圧ＴＰＨを供給することで、電圧ＴＰＨと電圧ＴＰＬとで振幅する交流駆動信号が生成される。
【０１０３】
スイッチ回路ＣＳＷの各スイッチとして機能するトランジスタは、第１トランジスタＴ１と第２トランジスタＴ２Ｌ及び第２トランジスタＴ２Ｈとを有する。第１トランジスタＴ１と第２トランジスタＴ２Ｌ及び第２トランジスタＴ２Ｈとは１組として、駆動電極ＣＯＭＬに対応して設けられている。
【０１０４】
第１電圧供給線Ｌ１は、分岐配線としての第１分岐配線であるｄ配線部Ｌ１ｄ及びｅ配線部Ｌ１ｅを有する。第２電圧供給線Ｌ２Ｌは、分岐配線としての第２分岐配線であるｄ配線部Ｌ２Ｌｄ及びｅ配線部Ｌ２Ｌｅを有する。第２電圧供給線Ｌ２Ｈは、分岐配線としての第２分岐配線であるｄ配線部Ｌ２Ｈｄ及びｅ配線部Ｌ２Ｈｅを有する。
【０１０５】
第１電圧供給線Ｌ１は、第１トランジスタＴ１を介して、共通配線ＣＬと電気的に接続されている。第２電圧供給線Ｌ２Ｌは、第２トランジスタＴ２Ｌを介して、共通配線ＣＬと電気的に接続されている。第２電圧供給線Ｌ２Ｈは、第２トランジスタＴ２Ｈを介して、共通配線ＣＬと電気的に接続されている。共通配線ＣＬは、駆動電極ＣＯＭＬに接続されている。
【０１０６】
第１電圧供給線Ｌ１、第２電圧供給線Ｌ２Ｌ及び第２電圧供給線Ｌ２Ｈを比較した場合に、第１電圧供給線Ｌ１は、第２電圧供給線Ｌ２Ｌ及び第２電圧供給線Ｌ２Ｈよりも抵抗値が低い構造になっている。例えば、抵抗値には、配線の幅や厚さや長さ、さらには配線の材料等が影響する。そのため、抵抗値が低い構造とは、配線の幅や厚さが大きい、又は長さが小さい構造、さらには配線の材料が低抵抗の材料であることを意味する。これにより、第１電圧供給線Ｌ１は、第２電圧供給線Ｌ２Ｌ及び第２電圧供給線Ｌ２Ｈに比べて、低抵抗化することができる。
【０１０７】
複数の引き出し配線ＷＬは、上述したように第１引き出し配線群ＷＬＡと第２引き出し配線群ＷＬＢとを含む。第１電圧供給線Ｌ１は、上述したように分岐配線としての第１分岐配線であるｄ配線部Ｌ１ｄを有する。第２電圧供給線Ｌ２Ｌは、分岐配線としての第２分岐配線であるｄ配線部Ｌ２Ｌｄを有する。第２電圧供給線Ｌ２Ｈは、分岐配線としての第２分岐配線であるｄ配線部Ｌ２Ｈｄを有する。第１引き出し配線群ＷＬＡと第２引き出し配線群ＷＬＢとの間の領域に、ｄ配線部Ｌ１ｄとｄ配線部Ｌ２Ｌｄ及びｄ配線部Ｌ２Ｈｄと駆動電極駆動回路ＣＤＲとが形成されている。そして、駆動電極駆動回路ＣＤＲは、ｄ配線部Ｌ１ｄとｄ配線部Ｌ２Ｌｄ及びｄ配線部Ｌ２Ｈｄとの間にある。
【０１０８】
また、第１電圧供給線Ｌ１では、分岐配線のｄ配線部Ｌ１ｄが、分岐部Ｌ１Ａから、駆動電極駆動回路ＣＤＲの左側を通り、ｅ配線部Ｌ１ｅに繋がっている。これに対して、第２電圧供給線Ｌ２Ｌ及び第２電圧供給線Ｌ２Ｈでは、分岐配線のｄ配線部Ｌ２Ｌｄ、Ｌ２Ｈｄは、分岐部Ｌ２ＬＡ、Ｌ２ＨＡから、駆動電極駆動回路ＣＤＲの右側を通り、ｅ配線部Ｌ２Ｌｅ、Ｌ２Ｈｅに繋がっている。よって、駆動電極駆動回路ＣＤＲの左側に第１電圧供給線Ｌ１のｄ配線部Ｌ１ｄの１本を配置し、駆動電極駆動回路ＣＤＲの右側に第２電圧供給線Ｌ２Ｌのｄ配線部Ｌ２Ｌｄと第２電圧供給線Ｌ２Ｈのｄ配線部Ｌ２Ｈｄとの２本を配置することで、１本の方の第１電圧供給線Ｌ１のｄ配線部Ｌ１ｄの幅（あるいは厚さ、あるいはその両方）を大きい構造にして低抵抗化することができる。
【０１０９】
また、第１電圧供給線Ｌ１は、第２電圧供給線Ｌ２Ｌ及び第２電圧供給線Ｌ２Ｈに比べて重要である。そのため、第１電圧供給線Ｌ１では、分岐配線が、分岐部Ｌ１Ａから、ｄ配線部Ｌ１ｄ及びｅ配線部Ｌ１ｅを通じて、ａ配線部Ｌ１ａの合流部Ｌ１Ｂとｂ配線部Ｌ１ｂの合流部Ｌ１Ｂとの両側に繋がっている。
【０１１０】
以上のような構造において、例えば、画素基板２上の第１金属層に走査信号線配線層、第２金属層に映像信号線配線層、第３金属層に他の配線層を配置するような構造では、第１電圧供給線Ｌ１、第２電圧供給線Ｌ２Ｌ及び第２電圧供給線Ｌ２Ｈは映像信号線配線層と同層の第２金属層に配置する。この場合に、第１電圧供給線Ｌ１、第２電圧供給線Ｌ２Ｌ及び第２電圧供給線Ｌ２Ｈから分岐した分岐配線のｄ配線部Ｌ１ｄ、Ｌ２Ｌｄ、Ｌ２Ｈｄが、第２金属層と重なり、この第２金属層を乗り越える部分（図７に示すＸ部）は、第１金属層又は第３金属層に配線層を変えて乗り越える構造とする。
【０１１１】
また、引き出し配線ＷＬは、ドライバチップＩＣの出力に繋がり、走査信号線配線層に形成される直線部と、ＲＧＢ選択回路ＳＳＷに繋がり、映像信号線配線層に形成される斜線部とがあり、分岐配線のｄ配線部Ｌ１ｄ、Ｌ２Ｌｄ、Ｌ２Ｈｄは斜線部と交差する。これは、分岐配線を最短距離で引き回すことで低抵抗化を図り、このために、分岐配線は引き出し配線ＷＬの走査信号線配線層で交差させる。このように、分岐配線は、引き出し配線ＷＬと重畳する重畳部（ｄ配線部Ｌ１ｄ、Ｌ２Ｌｄ、Ｌ２Ｈｄ）を有し、この重畳部と重畳部以外の部分で配線層が異なっている。
【０１１２】
駆動電極ＣＯＭＬのスイッチ回路ＣＳＷの動作を、図８を用いて説明する。タッチ検出期間は、選択された駆動電極ＣＯＭＬに、駆動電極（第２電極）駆動回路ＣＤＲによってトランジスタＴ２ＬとトランジスタＴ２Ｈとを交互にオン状態にすることで、電圧ＴＰＬと電圧ＴＰＨとで振幅する交流駆動信号が供給される。この時、選択された駆動電極ＣＯＭＬに対応するトランジスタＴ１はオフ状態である。一方、非選択の駆動電極ＣＯＭＬは、駆動電極駆動回路ＣＤＲによってトランジスタＴ１をオン状態にすることで、電圧ＶＣＯＭＤＣの直流電圧で固定される。この時、非選択の駆動電極ＣＯＭＬに対応するトランジスタＴ２ＬとトランジスタＴ２Ｈとはオフ状態である。
【０１１３】
以上説明した図７及び図８に示す駆動電極スイッチ回路の給電経路の第１例によれば、スイッチ回路ＣＳＷの左側及び右側に加えて中央側からも給電することで、駆動電極ＣＯＭＬへの給電経路が増える。これにより、電源の抵抗を下げることができる。その結果、選択された駆動電極ＣＯＭＬ及び非選択の駆動電極ＣＯＭＬの時定数が改善され、例えば、選択された駆動電極ＣＯＭＬの時定数は約２５％の改善が見られ、非選択の駆動電極ＣＯＭＬの時定数は約５０％の改善が見られ、時定数に起因するタッチ検出特性の改善が可能になるという効果がある。この現象は、パネルの寸法が大きくなるほど、また、解像度が向上するほど顕著になるので、大型化・高解像度化にも効果がある。あるいは、これ以上時定数を改善する必要がない場合は、元々スイッチ回路ＣＳＷ内に引き回していた電圧供給線の配線幅を細くすることで、時定数を維持したまま、狭額縁化することができるという効果がある。
【０１１４】
＜駆動電極スイッチ回路の給電経路の第２例＞
図１０は、本実施の形態に係わるタッチ検出機能付き表示装置において、駆動電極スイッチ回路の給電経路の第２例を示す説明図である。ここでは、上述した第１例と異なる点を主に説明する。
【０１１５】
図１０に示す駆動電極スイッチ回路の給電経路の第２例では、画素基板２に、ドライバチップＩＣの中央付近にドライバチップＩＣのバンプが接続される３種類の電源の第３パッドＰ３ＤＣ、Ｐ３Ｌ、Ｐ３Ｈを設け、分岐配線はフレキシブルプリント基板ＦＰＣからドライバチップＩＣの３種類の電源の第３パッドＰ３ＤＣ、Ｐ３Ｌ、Ｐ３Ｈを経由しながらドライバチップＩＣの下を引き回してスイッチ回路ＣＳＷの中央部へ入力する給電経路である。分岐配線のｅ配線部Ｌ１ｅ、Ｌ２Ｌｅ、Ｌ２Ｈｅは、第３パッドＰ３ＤＣ、Ｐ３Ｌ、Ｐ３Ｈに接続されている。
【０１１６】
図１０の例では、第１電圧供給線Ｌ１（電圧ＶＣＯＭＤＣ）については、フレキシブルプリント基板ＦＰＣ上において左側から分岐配線を引き入れ、ドライバチップＩＣの第３パッドＰ３ＤＣを経由しながらドライバチップＩＣの下を引き回して、駆動電極駆動回路ＣＤＲの左側を通り、中央部分から引き出してスイッチ回路ＣＳＷの中央部へ入力する給電経路である。この第１電圧供給線Ｌ１の分岐配線は、ｃ配線部Ｌ１ｃの分岐部Ｌ１Ａから画素基板２の中央側を縦方向に延在してドライバチップＩＣの第３パッドＰ３ＤＣを経由したｄ配線部Ｌ１ｄと、このｄ配線部Ｌ１ｄに接続され、横方向に延在してフレキシブルプリント基板ＦＰＣ上のａ配線部Ｌ１ａの合流部Ｌ１Ｂに電気的に接続されたｅ配線部Ｌ１ｅと、を有する。
【０１１７】
また、第２電圧供給線Ｌ２Ｌ（電圧ＴＰＬ）及び第２電圧供給線Ｌ２Ｈ（電圧ＴＰＨ）についても、第１電圧供給線Ｌ１と実質的に同様である。
【０１１８】
この第１電圧供給線Ｌ１、第２電圧供給線Ｌ２Ｌ及び第２電圧供給線Ｌ２Ｈにおいて、ドライバチップＩＣに設けた３種類の電源の第３パッドＰ３ＤＣ、Ｐ３Ｌ、Ｐ３Ｈは、それぞれ、フローティング又は各電源を出力する。
【０１１９】
図１０に示す駆動電極スイッチ回路の給電経路の第２例においても、上述した第１例と同様の効果を得ることができる。この第２例においては、特に、フレキシブルプリント基板ＦＰＣ上において分岐配線を引き回せるので、配線の幅を大きくしやすいという利点がある。
【０１２０】
＜駆動電極スイッチ回路の給電経路の第３例＞
図１１は、本実施の形態に係わるタッチ検出機能付き表示装置において、駆動電極スイッチ回路の給電経路の第３例を示す説明図である。ここでは、上述した第１例及び第２例と異なる点を主に説明する。
【０１２１】
図１１に示す駆動電極スイッチ回路の給電経路の第３例では、画素基板２に、ドライバチップＩＣの中央付近にパッドがない領域の隙間ＧＰを設け、３種類の電源の分岐配線はフレキシブルプリント基板ＦＰＣからドライバチップＩＣのパッドがない領域の隙間ＧＰを経由しながらドライバチップの下を引き回してスイッチ回路ＣＳＷの中央部へ入力する給電経路である。
【０１２２】
図１１の例では、第１電圧供給線Ｌ１（電圧ＶＣＯＭＤＣ）については、フレキシブルプリント基板ＦＰＣ上において左側から分岐配線を引き入れ、ドライバチップＩＣのパッドがない領域の隙間ＧＰを経由しながらドライバチップＩＣの下を引き回して、駆動電極駆動回路ＣＤＲの左側を通り、中央部分から引き出してスイッチ回路ＣＳＷの中央部へ入力する給電経路である。この第１電圧供給線Ｌ１の分岐配線は、ｃ配線部Ｌ１ｃの分岐部Ｌ１Ａから画素基板２の中央側を縦方向に延在してドライバチップＩＣのパッドがない領域の隙間ＧＰを経由したｄ配線部Ｌ１ｄと、このｄ配線部Ｌ１ｄに接続され、横方向に延在してフレキシブルプリント基板ＦＰＣ上のａ配線部Ｌ１ａの合流部Ｌ１Ｂに電気的に接続されたｅ配線部Ｌ１ｅと、を有する。
【０１２３】
また、第２電圧供給線Ｌ２Ｌ（電圧ＴＰＬ）及び第２電圧供給線Ｌ２Ｈ（電圧ＴＰＨ）についても、第１電圧供給線Ｌ１と実質的に同様である。
【０１２４】
図１１に示す駆動電極スイッチ回路の給電経路の第３例においても、上述した第１例と同様の効果を得ることができ、特に、上述した第２例と同様に、フレキシブルプリント基板ＦＰＣ上において分岐配線を引き回せるので、配線の幅を大きくしやすいという利点がある。
【０１２５】
＜駆動電極スイッチ回路の給電経路の第４例＞
図１２は、本実施の形態に係わるタッチ検出機能付き表示装置において、駆動電極スイッチ回路の給電経路の第４例を示す説明図である。ここでは、上述した第１例〜第３例と異なる点を主に説明する。
【０１２６】
図１２に示す駆動電極スイッチ回路の給電経路の第４例では、３種類の電源の分岐配線はドライバチップＩＣ出力の引き出し配線ＷＬの走査信号線配線層の部分の上を引き回してスイッチ回路ＣＳＷの中央部へ入力する給電経路である。引き出し配線ＷＬは、周辺領域に形成され、画素領域に形成された映像信号線ＳＬと接続される配線である。
【０１２７】
図１２の例では、第１電圧供給線Ｌ１（電圧ＶＣＯＭＤＣ）については、左側及び右側に配置された第１電圧供給線Ｌ１から分岐配線を引き入れ、引き出し配線ＷＬの走査信号線配線層の部分の上を引き回して、駆動電極駆動回路ＣＤＲの左側を通り、中央部分から引き出してスイッチ回路ＣＳＷの中央部へ入力する給電経路である。この第１電圧供給線Ｌ１の分岐配線は、ｃ配線部Ｌ１ｃの分岐部Ｌ１Ａから画素基板２の中央側を縦方向に延在したｄ配線部Ｌ１ｄと、このｄ配線部Ｌ１ｄに接続され、横方向に延在して、引き出し配線ＷＬの走査信号線配線層の部分の上又は下を引き回してａ配線部Ｌ１ａの合流部Ｌ１Ｂ及びｂ配線部Ｌ１ｂの合流部Ｌ１Ｂに電気的に接続されたｅ配線部Ｌ１ｅと、を有する。
【０１２８】
また、第２電圧供給線Ｌ２Ｌ（電圧ＴＰＬ）、第２電圧供給線Ｌ２Ｈ（電圧ＴＰＨ）についても、第１電圧供給線Ｌ１と実質的に同様である。
【０１２９】
図１２の第４例では、上述した第１例〜第３例と異なり、第１電圧供給線Ｌ１及び第２電圧供給線Ｌ２Ｌの分岐配線を駆動電極駆動回路ＣＤＲの左側を通し、第２電圧供給線Ｌ２Ｈの分岐配線を駆動電極駆動回路ＣＤＲの右側を通したが、上述した第１例〜第３例と同様の経路とすることも可能である。
【０１３０】
図１２に示す駆動電極スイッチ回路の給電経路の第４例においても、上述した第１例と同様の効果を得ることができ、特に、分岐配線は引き出し配線ＷＬの走査信号線配線層の部分の上を最短距離で引き回すことで、さらに低抵抗化を図ることができるという利点がある。
【０１３１】
＜駆動電極スイッチ回路の給電経路の第５例＞
図１３は、本実施の形態に係わるタッチ検出機能付き表示装置において、駆動電極スイッチ回路の給電経路の第５例を示す説明図である。ここでは、上述した第１例〜第４例と異なる点を主に説明する。
【０１３２】
図１３に示す駆動電極スイッチ回路の給電経路の第５例では、追加する給電箇所は中央に限定せずに、例えば、左右１／４位の所から給電して、さらに時定数を下げることを可能とするものである。図１３の例では、上述した第１例のようにスイッチ回路ＣＳＷの中央部へ入力する給電経路に加えて、スイッチ回路ＣＳＷの左側１／４位の所へ入力する給電経路と、スイッチ回路ＣＳＷの右側１／４位の所へ入力する給電経路とが追加されている。
【０１３３】
スイッチ回路ＣＳＷの左側１／４位の所へ入力する給電経路において、第１電圧供給線Ｌ１の分岐配線では、ｃ配線部Ｌ１ｃの分岐部Ｌ１Ａからｅ配線部Ｌ１ｅに繋がっている。第２電圧供給線Ｌ２Ｌの分岐配線では、ｃ配線部Ｌ２Ｌｃの分岐部Ｌ２ＬＡからｅ配線部Ｌ２Ｌｅに繋がっている。第２電圧供給線Ｌ２Ｈの分岐配線では、ｃ配線部Ｌ２Ｈｃの分岐部Ｌ２ＨＡからａ配線部Ｌ２Ｈａに繋がっている。
【０１３４】
スイッチ回路ＣＳＷの右側１／４位の所へ入力する給電経路において、第１電圧供給線Ｌ１の分岐配線では、ｃ配線部Ｌ１ｃの分岐部Ｌ１Ａからｅ配線部Ｌ１ｅに繋がっている。第２電圧供給線Ｌ２Ｌの分岐配線では、ｃ配線部Ｌ２Ｌｃの分岐部Ｌ２ＬＡからｂ配線部Ｌ２Ｌｂに繋がっている。第２電圧供給線Ｌ２Ｈの分岐配線では、ｃ配線部Ｌ２Ｈｃの分岐部Ｌ２ＨＡからｂ配線部Ｌ２Ｈｂに繋がっている。
【０１３５】
これらの分岐配線は、映像信号線配線層を配置する第２金属層と重なるため、この第２金属層と交差する部分は、第１金属層又は第３金属層に配線層を変える必要がある。
【０１３６】
図１３に示す駆動電極スイッチ回路の給電経路の第５例においても、上述した第１例と同様の効果を得ることができ、特に、給電経路を追加して設けることで、さらに時定数を下げることができるという利点がある。
【０１３７】
＜駆動電極スイッチ回路の給電経路の第６例＞
本実施の形態に係わるタッチ検出機能付き表示装置において、駆動電極スイッチ回路の給電経路の第６例は、上述した第１例〜第５例の変形例である。例えば、上述した第１例〜第５例では、３種類の電源ともスイッチ回路ＣＳＷの中央部に給電する例を説明したが、１種類の電源又は２種類の電源のみに適用することも可能である。また、上述した第１例〜第５例を組み合わせることも可能である。また、上述した第１例〜第５例では、第１電圧供給線Ｌ１（電圧ＶＣＯＭＤＣ）の分岐配線は左右両方から給電し、第２電圧供給線Ｌ２Ｌ（電圧ＴＰＬ）及び第２電圧供給線Ｌ２Ｈ（電圧ＴＰＨ）の分岐配線は片方から給電する例を説明したが、これに限定するものではなく、全てを左右両方から給電したり、全てを片方から給電したり、又は、これらを混合する給電経路とする場合にも適用可能である。
【０１３８】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０１３９】
前記実施の形態においては、開示例として液晶表示装置の場合を例示したが、その他の適用例として、有機ＥＬ表示装置、その他の自発光型表示装置、あるいは電気泳動素子等を有する電子ペーパー型表示装置等、あらゆるフラットパネル型の表示装置が挙げられる。
【０１４０】
本発明の思想の範疇において、当業者であれば、各種の変形例及び修正例に想到し得るものであり、それら変形例及び修正例についても本発明の範囲に属するものと了解される。例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【０１４１】
また、本実施の形態において述べた態様によりもたらされる他の作用効果について本明細書の記載から明らかなもの、または当業者において適宜想到し得るものについては、当然に本発明によりもたらされるものと解される。
【符号の説明】
【０１４２】
１  タッチ検出機能付き表示装置
２  画素基板
３  対向基板
６  液晶層
１０  タッチ検出機能付き表示デバイス
２０  液晶表示デバイス
３０  タッチ検出デバイス
４０  タッチ検出部
ＣＬ  共通配線
ＣＯＭＬ  駆動電極
ＣＤＲ  駆動電極駆動回路
ＣＳＷ  スイッチ回路
ＦＰＣ  フレキシブルプリント基板
ＩＣ  ドライバチップ
Ｌ１  第１電圧供給線
Ｌ１Ａ  分岐部
Ｌ１ａ  ａ配線部
Ｌ１ｂ  ｂ配線部
Ｌ１ｃ  ｃ配線部
Ｌ１ｄ  ｄ配線部
Ｌ１ｅ  ｅ配線部
Ｌ２Ｌ  第２電圧供給線
Ｌ２ＬＡ  分岐部
Ｌ２Ｌａ  ａ配線部
Ｌ２Ｌｂ  ｂ配線部
Ｌ２Ｌｃ  ｃ配線部
Ｌ２Ｌｄ  ｄ配線部
Ｌ２Ｌｅ  ｅ配線部
Ｌ２Ｈ  第２電圧供給線
Ｌ２ＨＡ  分岐部
Ｌ２Ｈａ  ａ配線部
Ｌ２Ｈｂ  ｂ配線部
Ｌ２Ｈｃ  ｃ配線部
Ｌ２Ｈｄ  ｄ配線部
Ｌ２Ｈｅ  ｅ配線部
Ｐ１ＤＣ、Ｐ１Ｌ、Ｐ１Ｈ  第１パッド
Ｐ２ＤＣ、Ｐ２Ｌ、Ｐ２Ｈ  第２パッド
Ｐ３ＤＣ、Ｐ３Ｌ、Ｐ３Ｈ  第３パッド
ＳＳＷ  ＲＧＢ選択回路
ＳＬ  映像信号線
Ｔ１、Ｔ２Ｌ、Ｔ２Ｈ  トランジスタ
ＷＬ  引き出し配線
ＷＬＡ  第１引き出し配線群
ＷＬＢ  第２引き出し配線群
【図１】
0006633924.tif 000002
【図２】
0006633924.tif 000003
【図３】
0006633924.tif 000004
【図４】
0006633924.tif 000005
【図５】
0006633924.tif 000006
【図６】
0006633924.tif 000007
【図７】
0006633924.tif 000008
【図８】
0006633924.tif 000009
【図９】
0006633924.tif 000010
【図１０】
0006633924.tif 000011
【図１１】
0006633924.tif 000012
【図１２】
0006633924.tif 000013
【図１３】
0006633924.tif 000014